(57)【要約】【課題】  通水部材の被取付部材への取付け箇所の自由度を向上させた上に、良好な止水性を確保した通水部材の取付構造を提供することを課題とする。【解決手段】  フランジ３を対向する端部間寸法Ａがこれに直交する対向する端部間寸法Ｂよりも短くなるように形成する。パッキン７の環状の主体部１３の外形をフランジ３と略同じ外形形状に形成する。主体部１３の外縁に亙って被取付部材５から離れる方向に側壁部１４を突設する。主体部１３と側壁部１４との内部にフランジ３を嵌合させてパッキン７をフランジ３に被着する。【選択図】        図１
2006349149.tif 000002
【特許請求の範囲】
【請求項１】
内部に通水孔を備えた筒状の通水部材の外周に外方に突出するフランジを設けると共に、この通水部材に締結用の通水部材側ネジ部を設け、貫通孔を穿設した板状の被取付部材の一方の面における上記貫通孔の周囲に亙って上記フランジを環状のパッキンを介して当接し、被取付部材の他方の面側に配置した締結部材に締結部材側ネジ部を設け、締結部材または通水部材に通水孔に連通する通水路を内部に備えた挿通筒部を一体に設け、この挿通筒部を貫通孔に挿通して締結部材側ネジ部と通水部材側ネジ部とを螺合させることで、通水部材と締結部材とを一体化すると共に、締結部材に設けた挟持部と通水部材のフランジとで被取付部材を挟持してなる通水部材の取付構造であって、上記フランジを対向する端部間寸法がこれに直交する対向する端部間寸法よりも短くなるように形成し、上記パッキンの環状の主体部の外形をフランジと略同じ外形形状に形成すると共に、この主体部の外縁に亙って被取付部材から離れる方向に側壁部を突設し、主体部と側壁部との内部にフランジを嵌合させてパッキンをフランジに被着したことを特徴とする通水部材の取付構造。
【請求項２】
上記パッキンの環状の主体部の内縁に亙って上記被取付部材の他方側に立ち上がり壁部を突設し、立ち上がり壁部と主体部とのコーナ部を被取付部材の一方の面に開口する貫通孔の孔縁部に亙って弾接したことを特徴とする請求項１記載の通水部材の取付構造。
【請求項３】
通水部材に挿通筒部を一体に形成すると共に、この挿通筒部を被取付部材の貫通孔に挿通して被取付部材の他方の面側に突出し、上記挿通筒部の外周に雄ネジ状の通水部材側ネジ部を形成し、内周に雌ネジ状の締結部材側ネジ部を形成したナット部材で締結部材を構成し、締結部材側ネジ部と通水部材側ネジ部との螺合によって挿通筒部廻りに締結されるナット部材の内面と挿通筒部の外周との間にＯリングを介装すると共に、ナット部材の挟持部と被取付部材の他方の面との間に環状の締結部材側パッキンを介装したことを特徴とする請求項１記載の通水部材の取付構造。
【発明の詳細な説明】
【技術分野】
【０００１】
本発明は、通水部材の取付構造に関するものである。
【背景技術】
【０００２】
従来から、止水性を備えて通水部材１を板状の被取付部材５に取り付けるには、たとえば図６のように、筒状の通水部材１の外周に外方に突出するフランジ３を設けると共に、通水部材１に締結用の通水部材側ネジ部４を設け、貫通孔６を穿設した板状の被取付部材５の一方の面における上記貫通孔６の周囲に亙って上記フランジ３を環状のパッキン７を介して当接し、被取付部材５の他方側に配置した締結部材８に締結部材側ネジ部９を設け、この挿通筒部１０を貫通孔６に挿通して締結部材側ネジ部９と通水部材側ネジ部４とを螺合させることで、通水部材１と締結部材８とを一体化すると共に締結部材８に設けた挟持部１２と通水部材１のフランジ３とで被取付部材５を挟持することで行われている。ここで、通水部材１の最大幅となるフランジ３の外形は貫通孔６の軸方向から見て円形状に形成されており、またパッキン７もフランジ３と同外形の円環状に形成されている（たとえば、特許文献１参照）。
【０００３】
ところで、上記通水部材１の被取付部材５への取り付けにかかるスペースはフランジ３やパッキン７の外形にて規定されるものであり、つまり、フランジ３やパッキン７の外形の幅寸法よりも狭い被取付部材５のスペースには通水部材１は取り付けることができないものであった。
【０００４】
しかして、本特許出願人は、通水部材１の最大幅となるフランジ３を、対向する端部間寸法がこれに直交する対向する端部間寸法よりも短くなるように形成することで、従来の円形のフランジ３の外径幅よりも狭い幅しかない被取付部材５の取付スペースに対しても、この被取付部材５の取付スペースの狭い幅方向にフランジ３の短寸法方向を合わせることで通水部材１を取付け可能にし、つまり通水部材１の被取付部材５への取り付け箇所の自由度の向上を図ることを考えた。しかしながら、この場合、フランジ３と被取付部材５との間に介在されるパッキン７はフランジ３と同外形に形成されるのであるが、通水部材１と締結部材８とは自身を回転させて行う螺合構造にて被取付部材５を挟持して一体化されるものであるから、通水部材１と締結部材８との螺合時にフランジ３とパッキン７とがその回転方向でずれてしまい、フランジ３の全面でパッキン７が被取付部材５に圧接されずに止水性能が低下するといった問題が生じることとなった。
【特許文献１】特開２００２−４８４１６号公報
【発明の開示】
【発明が解決しようとする課題】
【０００５】
本発明は上記の従来の問題点に鑑みて為したものであって、通水部材の被取付部材への取付け箇所の自由度を向上させた上に、良好な止水性を確保した通水部材の取付構造を提供することを課題とするものである。
【課題を解決するための手段】
【０００６】
上記課題を解決するために本発明の請求項１に係る通水部材の取付構造は、内部に通水孔２を備えた筒状の通水部材１の外周に外方に突出するフランジ３を設けると共に、この通水部材１に締結用の通水部材側ネジ部４を設け、貫通孔６を穿設した板状の被取付部材５の一方の面における上記貫通孔６の周囲に亙って上記フランジ３を環状のパッキン７を介して当接し、被取付部材５の他方の面側に配置した締結部材８に締結部材側ネジ部９を設け、締結部材８または通水部材１に通水孔２に連通する通水路１１を内部に備えた挿通筒部１０を一体に設け、この挿通筒部１０を貫通孔６に挿通して締結部材側ネジ部９と通水部材側ネジ部４とを螺合させることで、通水部材１と締結部材８とを一体化すると共に、締結部材８に設けた挟持部１２と通水部材１のフランジ３とで被取付部材５を挟持してなる通水部材１の取付構造であって、上記フランジ３を対向する端部間寸法Ａがこれに直交する対向する端部間寸法Ｂよりも短くなるように形成し、上記パッキン７の環状の主体部１３の外形をフランジ３と略同じ外形形状に形成すると共に、この主体部１３の外縁に亙って被取付部材５から離れる方向に側壁部１４を突設し、主体部１３と側壁部１４との内部にフランジ３を嵌合させてパッキン７をフランジ３に被着したことを特徴とする。
【０００７】
これによると、通水部材１の最大幅となるフランジ３を、対向する端部間寸法Ａがこれに直交する対向する端部間寸法Ｂよりも短くなるように形成したことで、従来の円形のフランジ３の外径幅よりも狭い幅しかない被取付部材５の取付スペースに対しても、この被取付部材５の取付スペースの狭い幅方向にフランジ３の短寸法方向を合わせる等することで通水部材１を取付け可能にでき、つまり通水部材１の被取付部材５への取り付け箇所の自由度の向上を図ることができるのであり、また、通水部材１と締結部材８とは自身を回転させて行う螺合構造にて被取付部材５を挟持して一体化されるものであるが、上記フランジ３と略同じ外形形状に主体部１３が形成されたパッキン７には主体部１３の外縁に亙って被取付部材５から離れる方向に側壁部１４が突設され、このパッキン７の主体部１３と側壁部１４との内部にフランジ３を嵌合させてパッキン７をフランジ３に被着したので、通水部材１と締結部材８との螺合時に回転するフランジ３にパッキン７を追従させることができて、フランジ３とパッキン７とがその回転方向でずれてしまうことが防止され、確実にフランジ３の全面でパッキン７を被取付部材５に圧接させることができ、良好な止水性能を確保することができる。
【０００８】
また、請求項２に係る通水部材の取付構造は、請求項１において、上記パッキン７の環状の主体部１３の内縁に亙って上記被取付部材５の他方側に立ち上がり壁部１５を突設し、立ち上がり壁部１５と主体部１３とのコーナ部１６を被取付部材５の一方の面に開口する貫通孔６の孔縁部６ａに亙って弾接したことを特徴とする。これによると、被取付部材５の一方の面に開口する貫通孔６の孔縁部６ａを立ち上がり壁部１５と主体部１３とのコーナ部１６に食い込ませることができ、フランジ３と被取付部材５との間に強固な止水性能を備えることができるのである。
【０００９】
また、請求項３に係る通水部材の取付構造は、請求項１において、通水部材１に挿通筒部１０を一体に形成すると共に、この挿通筒部１０を被取付部材５の貫通孔６に挿通して被取付部材５の他方の面側に突出し、上記挿通筒部１０の外周に雄ネジ状の通水部材側ネジ部４を形成し、内周に雌ネジ状の締結部材側ネジ部９を形成したナット部材８ａで締結部材８を構成し、締結部材側ネジ部９と通水部材側ネジ部４との螺合によって挿通筒部１０廻りに締結されるナット部材８ａの内面と挿通筒部１０の外周との間にＯリング１７を介装すると共に、ナット部材８ａの挟持部１２と被取付部材５の他方の面との間に環状の締結部材側パッキン１８を介装したことを特徴とする。これによると、貫通孔６を介して被取付部材５の両側に至る漏水経路は、締結部材８の内周と通水部材１の挿通筒部１０の外周の間から貫通孔６を介して被取付部材５の一方側に至る経路と、締結部材８の挟持部１２と被取付部材５の他方の面との間から貫通孔６を介して被取付部材５の一方側に至る経路とが考えられるが、前者の経路ではＯリング１７とパッキン７とによって、後者の経路では締結部材側パッキン１８とパッキン７によって、それぞれ２重に止水を施すようにできるのであり、大幅に止水性能を向上できる。
【発明の効果】
【００１０】
本発明は、通水部材の最大幅となるフランジを対向する端部間寸法がこれに直交する対向する端部間寸法よりも短くなるように形成したので、通水部材の被取付部材への取り付け箇所の自由度の向上を図ることができると共に、上記フランジと同形状のパッキンをフランジに被着させたので、フランジとパッキンとがその回転方向でずれてしまうことが防止され、確実にフランジの全面でパッキンを被取付部材に圧接させることができ、良好な止水性能を確保することができる、といった利点を有する。
【発明を実施するための最良の形態】
【００１１】
以下、本発明を添付図面に示す実施形態に基いて説明する。
【００１２】
図４のように、建物の土台１９間に吊持された吊架台２８上に脚部２９を介して載置されて浴室の床を構成する防水床パン２０は、上面が洗い場となる洗い場床パン２０ａと、上面に浴槽が載置される浴槽床パン２０ｂとで構成されている。この浴室で用いる浴水は水道管や給湯管等の給水管２１が浴室に設けたカラン等に接続されることで供給されている。本例では、給水管２１は防水床パン２０の床下空間を経て、防水床パン２０を下方から上方へ貫通して、浴室内に至っている。
【００１３】
ところで、近年の浴室の洗い場には床暖房装置を取り付ける要望があり、本例では下面に床暖房装置を取り付け得る洗い場床パン２０ａとなっている。つまり、防水床パン２０は上面板部２２から縦横に補強リブ２３を垂設させて剛性補強が行われているが、本例の洗い場床パン２０ａにおける中央部分の補強リブ２３には、床暖房装置を洗い場床パン２０ａにおける中央部分に亙って配置できるように、床暖房装置のヒータ線や温水管等を通すための切欠２３ａが設けられている。切欠２３ａを設けたことで洗い場床パン２０ａは剛性強度が低下するのであるが、その分洗い場床パン２０ａの周縁部では補強リブ２３の設置本数を増やしており、洗い場床パン２０ａに必要な剛性強度を確保している。
【００１４】
図１には洗い場床パン２０ａを床下から給水管２１が浴室内に至る部分の断面（図４（ｂ）のＤ部拡大図）を示している。具体的に、フレキシブル管で構成された給水管２１は内部に通水孔２を有する継手部材１ａの一端に連結されており、この継手部材１ａは洗い場床パン２０ａの板状の上面板部２２に穿設された貫通孔６に挿通するようにして取付けられている。なお、給水管２１が洗い場床パン２０ａを貫通する部位は、洗い場を使用する使用者の邪魔にならぬよう壁際にできるだけ近づけて設けるのが好ましく、本例もそのようにされている。ここで、本例の洗い場床パン２０ａの壁際である周縁部では上述のように補強リブ２３の設置本数が増やされており、しかして給水管２１の洗い場床パン２０ａへの貫通にかかるスペースは補強リブ２３で囲まれた比較的狭い上面板部２２の部分に設けねばならないといった制限を受けることになっている。本願の発明は、継手部材１ａのような通水部材１を洗い場床パン２０ａの上面板部２２ような板状の被取付部材５に取り付ける構造であって、本例の洗い場床パン２０ａのように通水部材１の被取付部材５への取付けにかかるスペースに制限を受ける場所であっても、通水部材１の被取付部材５への取付けを可能にすると共に、良好な止水性も備え得るようにしたことに特徴を有したものである。
【００１５】
本例の通水部材１を構成する継手部材１ａは、図１及び図２のように、先端及び基端に開口せる通水孔２を内部に備えた円筒状の本体部２４を有し、本体部２４の先端部及び基端部に給水管２１を接続し得る接続部２５ａ，２５ｂをそれぞれ備え、本体部２４の外周における先端部と基端部との間の中程に径外方向に突出する板状のフランジ３を設け、フランジ３よりも先端側の本体部２４の部分で挿通筒部１０を構成させている。ここで、挿通筒部１０は被取付部材５に穿設した貫通孔６に挿入する部位であり、その外面には雄ネジが刻設されて通水部材側ネジ部４が形成されており、筒内部には通水路１１が形成されている。本例では通水路１１は通水孔２の一部を構成するものとなっている。なお、図１では、基端側の接続部２５ｂに洗い場床パン２０ａの床下に配設された給水管２１が接続されているが、先端側の接続部２５ａに接続するカランやシャワー等に至る給水管は未接続の状態となっている。ここで、継手部材１ａの幅方向（通水孔２の軸方向に直交する面方向）において最大幅寸法となる部位はフランジ３であるが、本例のフランジ３は、図２のように対向する端部間寸法Ａがこれに直交する対向する端部間寸法Ｂよりも短くなるような、通水孔２の軸方向から見て直交する長寸と短寸とを有する外形形状に形成されており、詳しくは、円盤状のフランジ３の対向する端部をそれぞれ平行に切り欠いてこの一対の対向する切欠端面間が、切り欠かずに円弧が残る対向する一対の対向する外端面間よりも短くなっている陸上トラック状のような外形形状とされている。
【００１６】
この継手部材１ａは、図１のように、板状の被取付部材５を構成する洗い場床パン２０ａの上面板部２２を貫通した円形の貫通孔６に床下側から挿通筒部１０を挿通させ、上面板部２２の裏面（床下側の面）における貫通孔６の周縁部分に亙ってフランジ３を押し当てて配置されるのであるが、止水を期して上面板部２２の裏面とフランジ３との間には図３のようなパッキン７（以下、通水部材側パッキン７という）が介装されている。この通水部材側パッキン７は、通水孔２の軸方向から見て環状の板状の主体部１３を有し、主体部１３の内縁に亙って立ち上がり壁部１５を継手部材１ａの先端方向に向けて突設し、主体部１３の外縁に亙って側壁部１４を継手部材１ａの基端方向に向けて突設している。詳しくは、主体部１３の内縁径は継手部材１ａの挿通筒部１０が嵌るように挿通筒部１０の外径と略同寸法に形成され、主体部１３の外縁形状はフランジ３と略同じ外形形状に形成されている。具体的に、主体部１３の外縁形状は、フランジ３と同様、対向する端部間寸法Ａがこれに直交する対向する端部間寸法Ｂよりも短くなるような、通水孔２の軸方向から見て直交する長寸と短寸とを有する陸上トラック状のような外形形状に形成されている。また、立ち上がり壁部１５の外径は洗い場床パン２０ａの貫通孔６の孔径と略同寸法に形成されている。
【００１７】
上記のように貫通孔６を挿通した挿通筒部１０が上面板部２２の表面（床上側の面）に突出された状態に配置された継手部材１ａは、床上側から挿通筒部１０に締結部材８を取付けることで洗い場床パン２０ａの上面板部２２に固定される。本例の締結部材８は、挿通筒部１０の外径と同径の内径となった内周部を有すると共にこの内周部に雌ネジ状の締結部材側ネジ部９を形成してなるナット部材８ａで構成されている。このナット部材８ａは締結部材側ネジ部９を通水部材側ネジ部４に螺合させて挿通筒部１０廻りに締結一体化されるのであって、締結部材側ネジ部９を通水部材側ネジ部４に螺進させることでナット部材８ａの下端面が構成する挟持部１２と通水部材１のフランジ３とで洗い場床パン２０ａの上面板部２２を表裏から挟持し、これにより継手部材１ａが洗い場床パン２０ａの上面板部２２に固定されるようになっている。なお、本例ではナット部材８ａの挟持部１２と洗い場床パン２０ａの上面板部２２の表面との間には、表面側から滑り用パッキン２６、締結部材側パッキン１８が順に積層されて介装されている。締結部材側パッキン１８は、内部に挿通筒部１０を挿通できると共に外縁部分が上面板部２２の表面における貫通孔６の周囲に当接できるような通水孔２の軸方向から見て円環状に形成されており、また、滑り用パッキン２６は、継手部材１ａへの締結時にナット部材８ａを締結部材側パッキン１８に当たらせずにスムーズに回転可能にさせるための、通水孔２の軸方向から見て円環状の比較的硬質のパッキンである。
【００１８】
このように継手部材１ａとナット部材８ａとは自身を回転させて行う螺合構造によって一体化されるものであり、継手部材１ａのフランジ３とナット部材８ａの挟持部１２とで通水部材側パッキン７及び締結部材側パッキン１８を介して洗い場床パン２０ａの上面板部２２を挟持し、継手部材１ａを洗い場床パン２０ａの上面板部２２に固定するといったものであるので、通水部材側パッキン７及び締結部材側パッキン１８が単に板状のものであれば、継手部材１ａとナット部材８ａとの締結時に回転方向にずれてしまうのであり、そして本例のような非円形のフランジ３と通水部材側パッキン７とが回転方向にずれるとフランジ３の全面にパッキン７を当てられなくなって止水性能の低下を招いてしまうのである。しかしながら、本例では非円形のフランジ３と通水部材側パッキン７との回転方向へのずれを無くして良好な止水性能を確保することが為されている。つまり、通水部材側パッキン７は単に板状のものではなく、上述のようにフランジ３と同外形状の主体部１３の外縁に亙って継手部材１ａの基端方向に側壁部１４が突設しているものであり、通水部材側パッキン７の主体部１３と側壁部１４との内部にフランジ３を嵌合させることができ、通水部材側パッキン７をフランジ３に被着することができたものである。しかして、継手部材１ａとナット部材８ａとの螺合時に回転するフランジ３に通水部材側パッキン７を追従させることができることから、フランジ３と通水部材側パッキン７とがその回転方向でずれてしまうことが防止されており、確実にフランジ３の全面で通水部材側パッキン７の主体部１３を洗い場床パン２０ａの上面板部２２の裏面に圧接させることができてフランジ３と洗い場床パン２０ａの上面板部２２の裏面との間に良好な止水性能が確保されているのである。なお、本例の締結部材側パッキン１８は単なる板状のものであるが、円環状のものであるから回転方向にずれてもナットの挟持部１２全面に締結部材側パッキン１８を当てることができるのであって、ナットの挟持部１２と洗い場床パン２０ａの上面板部２２の表面との間に強固な止水性能を備えることができて問題はない。
【００１９】
上記構成の継手部材１ａの洗い場床パン２０ａへの取付構造にあっては、継手部材１ａのフランジ３が通水孔２の軸方向から見て直交する長寸と短寸とを有する外形形状に形成されているから、従来の円形のフランジ３の外径幅よりも狭い幅しかない被取付部材５の取付スペースに対しても、この被取付部材５の取付スペースの狭い幅方向にフランジ３の短寸法方向を合わせる等することで通水部材１を取付け可能にでき、通水部材１の被取付部材５への取り付け箇所の自由度の向上が図られているのである。本例では、補強リブ２３が増設された洗い場床パン２０ａの周縁部における補強リブ２３で囲まれた上面板部２２の狭い部分に一対の継手部材１ａを並設させて取付けているが、一対の継手部材１ａの並設方向と各継手部材１ａのフランジ３の短寸法方向とを合わせることで並設する一対の継手部材１ａの取付け幅を小さくでき、補強リブ２３で囲まれた上面板部２２の狭い部分にも一対の継手部材１ａが並設可能にされているのであり、その結果、本例では並設した一対の継手部材１ａの設置場所をできるだけ浴室の壁際の洗い場床パン２０ａの位置に位置させることでき、使用可能な洗い場面積を広くとることが可能にされているのである。なお、図５のように一対の継手部材１ａを間隔をあけて並設する場合にも、浴室の壁から突出方向に各継手部材１ａのフランジ３の短寸法方向を合わせることで、できるだけ浴室の壁際の洗い場床パン２０ａの位置に各継手部材１ａを取付けることができるのであり、使用可能な洗い場面積を広くとることが可能にされているのである。
【００２０】
ところで本例では、浴水が頻繁に至る洗い場床パン２０ａの上面板部２２に貫通孔６を穿設して継手部材１ａを取付けているので、床下への漏水防止の更なる向上を図るべく止水処理に各種の工夫が施されている。
【００２１】
まず、通水部材側パッキン７には主体部１３の内縁に亙って立ち上がり壁部１５が突設されており、この立ち上がり壁部１５と主体部１３とのコーナ部１６を洗い場床パン２０ａの上面板部２２の裏面に開口する貫通孔６の孔縁部６ａに亙って弾接させている。これによると、洗い場床パン２０ａの上面板部２２の裏面に開口する貫通孔６の孔縁部６ａを立ち上がり壁部１５と主体部１３とのコーナ部１６に食い込ませることができるのであり、つまりフランジ３と洗い場床パン２０ａの上面板部２２との間に環状で切れ目がなく局所的に止水性能を高めた部位を設けることができたのであり、フランジ３と洗い場床パン２０ａの上面板部２２との間に強固な止水性能が備えられているのである。更に、本例の通水部材側パッキン７の立ち上がり壁部１５は、継手部材１ａの挿通筒部１０と貫通孔６の孔内面とに圧着されるようになっている（つまり、通水部材側パッキン７の立ち上がり壁部１５が貫通孔６内に圧入されている）。これによると、フランジ３と洗い場床パン２０ａの上面板部２２との止水距離を増やすことができて止水性能が高められている。なお、本例のように通水孔２の軸方向から見て直交する長寸と短寸とを有する外形形状に形成されたフランジ３の短寸法側の部位では、フランジ３と洗い場床パン２０ａの上面板部２２との間の止水距離が小さくならざるをえないが、フランジ３と洗い場床パン２０ａの上面板部２２との間に、上述のように切れ目のない局所的に止水性能を高めた部位を設けたり、止水距離そのものを増やす工夫を施すことで、フランジ３の短寸法側の部位での止水性能の低下の回避が図られているのである。
【００２２】
また、締結部材側ネジ部９と通水部材側ネジ部４との螺合によって挿通筒部１０廻りに締結されるナット部材８ａの内面と挿通筒部１０の外周との間にはＯリング１７が介装されている。ここで、洗い場床パン２０ａの上面板部２２から貫通孔６を介して床下に至る漏水経路としては、ナット部材８ａの挟持部１２と洗い場床パン２０ａの上面板部２２との間から貫通孔６、継手部材１ａのフランジ３と洗い場床パン２０ａの上面板部２２との間を介して床面に至る経路と、ナット部材８ａの内周と継手部材１ａの挿通筒部１０の外周の間から貫通孔６、継手部材１ａのフランジ３と洗い場床パン２０ａの上面板部２２との間を介して床面に至る経路とが考えられる。前者の経路では、ナット部材８ａの挟持部１２と洗い場床パン２０ａの上面板部２２との間には締結部材側パッキン１８があり、継手部材１ａのフランジ３と洗い場床パン２０ａの上面板部２２との間には通水部材側パッキン７があり、すなわち２重に止水処理がなされている。後者の経路では、ナット部材８ａの内周と継手部材１ａの挿通筒部１０の外周の間にはＯリング１７があり、継手部材１ａのフランジ３と洗い場床パン２０ａの上面板部２２との間には通水部材側パッキン７があり、すなわち２重に止水処理がなされている。更に言うと、本例では、挿通筒部１０廻りに締結されたナット部材８ａの内周と挿通筒部１０の外周との浴室露出部分、またナット部材８ａの外周及び締結部材側パッキン１８の外周と洗い場床パン２０ａの上面板部２２の表面との浴室露出部分には、それぞれシーリング処理２７が施されているから、上記両経路には上記Ｏリング１７または締結部材側パッキン１８を加味して３重の止水処理がなされており、止水性能が高められているのである。
【００２３】
なお、上記実施形態では、通水部材１を給水管２１が接続される継手部材１ａにて構成すると共に締結部材８をナット部材８ａにて構成し、この継手部材１ａを板状の被取付部材５としての防水床パン２０の上面板部２２に取付ける例を例示したが、これに限らず、たとえば通水部材１としては、排水孔に取付ける排水トラップ、吐水口に取付ける吐水口部材等、様々な部材を考えることができ、また締結部材８としては、排水孔や吐水口の孔縁に取付ける孔縁部材等、様々な部材を考えることができ、また板状の被取付部材５としては、壁面、床面、浴槽、洗面ボウル等、様々な部位を考えることができるのである。更に言うと、上記実施形態では、被取付部材５の貫通孔６に挿通する挿通筒部１０を通水部材１に一体に設けたものを例示したが、締結部材８に一体に設けたものでもよいのは言うまでもない。つまり本願の発明は水廻りに関する様々な技術分野に適用できるものである。
【００２４】
たとえば、内部に排水用孔を有した筒状の排水トラップで通水部材１を構成し、この排水トラップの上端部にフランジ３を設けると共に筒内面に雌ネジ状の通水部材側ネジ部４を形成し、締結部材８を構成する筒状の孔縁部材に挿通筒部１０を設け、挿通筒部１０の外周に雄ネジ状の締結部材側ネジ部９を形成すると共に、孔縁部材の上端部にフランジ状の挟持部１２を径外方向に突設し、被取付部材５を構成する浴槽の下面における排水孔の周囲に通水部材側パッキン７を介してフランジ３を当接して排水トラップを配置し、挟持部１２を排水孔の上縁に当接させて孔縁部材を排水孔の上部に配置し、このとき孔縁部材の挿通筒部１０を上方から排水孔に挿通させて排水トラップの筒内部に挿入し、孔縁部材の挿通筒部１０の締結部材側ネジ部９と排水トラップの筒内面の通水部材側ネジ部４とを螺合させ、孔縁部材と排水トラップとを一体化すると共に、排水トラップのフランジ３と孔縁部材の挟持部１２で浴槽を上下に挟持するといった排水トラップの取付構造においても、本願の発明を適用することができるものである。
【図面の簡単な説明】
【００２５】
【図１】本発明の実施の形態の例を示す要部の一部切欠側面図である。
【図２】同上の継手部材の平面図である。
【図３】同上の通水部材側パッキンであり、（ａ）は正面図であり、（ｂ）は一部断面上面図であり、（ｃ）は一部断面側面図である。
【図４】同上の防水床パンであり、（ａ）は平面図であり、（ｂ）は（ａ）のＣ−Ｃ線断面図である。
【図５】本発明の実施の形態の他例であり、防水床パンの平面図である。
【図６】従来技術の例を示し、（ａ）は斜視図であり、（ｂ）は側断面図である。
【符号の説明】
【００２６】
１  通水部材
１ａ  継手部材
２  通水孔
３  フランジ
４  通水部材側ネジ部
５  被取付部材
６  貫通孔
６ａ  孔縁部
７  通水部材側パッキン
８  締結部材
８ａ  ナット部材
９  締結部材側ネジ部
１０  挿通筒部
１１  通水路
１２  挟持部
１３  主体部
１４  側壁部
１５  立ち上がり壁部
１６  コーナ部
１７  Ｏリング
１８  締結部材側パッキン
２０  防水床パン
２０ａ  洗い場床パン
２２  上面板部
【図１】
2006349149.tif 000003
【図２】
2006349149.tif 000004
【図３】
2006349149.tif 000005
【図４】
2006349149.tif 000006
【図５】
2006349149.tif 000007
【図６】
2006349149.tif 000008